(57)【特許請求の範囲】
【請求項１】
掃除機本体の下方部位に配置される下ケースと、前記下ケースの上側に設けられる上ケースと、前記上ケースに取り付けられるハンドルと、を備え、
前記ハンドルは、少なくともその一部がカーボン樹脂によって形成され、
前記上ケースは、前記カーボン樹脂よりも弾性率が低く、かつ、引張破壊伸びが大きい非カーボン樹脂によって形成されていることを特徴とする電気掃除機。
【請求項２】
前記ハンドルは、上部外側が非カーボン樹脂によって形成されたハンドル上側半体と、
前記ハンドル上側半体の下部内側に取り付けられ、カーボン樹脂によって形成されたハンドル下側半体と、からなることを特徴とする請求項１に記載の電気掃除機。
【請求項３】
前記ハンドル上側半体は、左右の下端部に二股状に形成された切欠部を有し、
前記ハンドル下側半体は、左右の下端部に形成され、前記切欠部の内側に配置された切欠孔を有することを特徴とする請求項２に記載の電気掃除機。
【請求項４】
前記切欠部の下側には、前記上ケースに固定されたハンドル連設部内材が連続して配置され、
前記二股状の前記ハンドル上側半体の下端部には、前記ハンドル連設部内材の外周部に設けられ、前記上ケースに固定されたハンドル連設部外枠が連続して配置されていることを特徴とする請求項３に記載の電気掃除機。
【請求項５】
前記ハンドル連設部内材は、カーボン樹脂によって形成され、
前記ハンドル連設部外枠は、非カーボン樹脂によって形成されていることを特徴とする請求項４に記載の電気掃除機。
【発明の詳細な説明】
【技術分野】
【０００１】
本発明は、電気掃除機に関する。
【背景技術】
【０００２】
現在、家庭等で電気掃除機が広く利用されている。このような電気掃除機は、埃等を吸引する吸込具と、この吸込具に接続された延長管と、この延長管に接続された把手部及び接続部を有するホースと、接続部に接続され、前記吸込具から吸引された埃等を電気掃除機内に吸引するための電動送風機と、この電動送風機を内設した掃除機本体と、を主に備えている。
【０００３】
このような電気掃除機の主な部品は、ポリプロピレンや、ＡＢＳ（Acrylonitrile−Butadiene−Styrene）樹脂等の一般的な樹脂からなる樹脂製のものが広く用いられている。しかしながら、電気掃除機で清掃作業をする場合は、一般的な樹脂のみからなる把手部や延長管を利用者が手で持ち上げて清掃するので、把手部や延長管の重量が重すぎて電気掃除機の取扱い時に、過度の負担を要することがある。
そこで特許文献１には、軽量化を目的として、炭素繊維を含有した樹脂や、アルミニウムの軽合金で形成した延長管が記載されている。
【先行技術文献】
【特許文献】
【０００４】
【特許文献１】特開平９−２４００３号公報
【発明の概要】
【発明が解決しようとする課題】
【０００５】
しかしながら、前記特許文献１に記載の電気掃除機においては、炭素繊維を含有した樹脂や、アルミニウム等の軽合金を延長管の内管に使用したことによって、延長管の軽量化及び剛性を図ることができるものの、延長管が、掃除機本体にホースを介在してその先端部位に配置され部品であるため、掃除機本体の軽量化及び剛性化を図ることはできない。
【０００６】
また、電気掃除機は、子供が掃除機本体に乗って遊んだりすることもある。このため、電気掃除機は、掃除機本体の上部の剛性化及び軽量化を図り、電気掃除機全体が軽量で高剛性のあるものが望まれていた。
したがって、特許文献１に記載の事項のみに拠っては、これらの課題を解決することが困難であった。
【０００７】
本発明の目的は、軽量で高剛性を有するハンドルを備えた電気掃除機を提供することである。
【課題を解決するための手段】
【０００８】
前記課題を解決するために、本発明に係る電気掃除機は、掃除機本体の下方部位に配置される下ケースと、前記下ケースの上側に設けられる上ケースと、前記上ケースに取り付けられるハンドルと、を備え、前記ハンドルは、少なくともその一部がカーボン樹脂によって形成され、前記上ケースは、前記カーボン樹脂よりも弾性率が低く、かつ、引張破壊伸びが大きい非カーボン樹脂によって形成されていることを特徴とする。
【発明の効果】
【０００９】
本発明によれば、軽量で高剛性を有するハンドルを備えた電気掃除機を提供することができる。
【図面の簡単な説明】
【００１０】
【図１】本発明の実施形態に係る電気掃除機の掃除機本体を示す要部側面図である。
【図２】本発明の実施形態に係る電気掃除機の掃除機本体を示す要部斜視図である。
【図３】本発明の実施形態に係る電気掃除機の掃除機本体を示す要部分解斜視図である。
【図４】車輪と下ケースと上ケースを示す分解斜視図である。
【図５】本発明の実施形態に係る電気掃除機の掃除機本体を示す断面を有する斜視図である。
【図６】本発明の実施形態に係る電気掃除機を示す背面図である。
【図７】ハンドルの拡大分解斜視図である。
【図８】ハンドルと上ケースとのねじ止め部位を示す一部断面を有する要部分解斜視図である。
【図９】図８のＤ−Ｄ拡大断面図である。
【発明を実施するための形態】
【００１１】
以下、本発明の実施形態を添付図面を参照しながら説明する。
なお、電気掃除機１を説明するのにあたり、便宜上、図１に示すホース接続部１１がある側を前、その反対側を後、ハンドル２６がある側を上、後輪５１，５１がある側を左右として説明する。
【００１２】
≪電気掃除機の構成≫
図１に示すように、電気掃除機１は、ゴミや塵埃等（以下、単に「塵埃」という。）を、掃除機本体２内に設けた電動送風機３（図５参照）による送風を利用した吸引力で不図示の吸込具から延長管及び吸引ホース１２を介して掃除機本体２内の集塵部４に収集する装置である。この電気掃除機１は、後記するハンドル２６を有する掃除機本体２と、吸引力を発生させる電動送風機３（図５参照）と、集塵部４と、吸引ホース１２と、手元操作スイッチ等が設けられた不図示の操作管と、延長管（図示省略）と、吸込具（図示省略）と、を備えて構成されている。
【００１３】
≪掃除機本体の構成≫
図１に示すように、掃除機本体２は、掃除機本体２の下方部位に配置された下ケース２１と、下ケース２１の上側に設けられた上ケース２２と、上ケース２２の背面側に設けられる排気カバー２３と、上ケース２２の上面側に配置された上ケースカバー２４と、集塵部４の上部を覆う集塵蓋２５と、掃除機本体２の上部に設置されたハンドル２６と、ハンドル連設部２７と、上ケース２２に着脱自在に設けられた集塵部４と、下ケース２１に軸支された左右一対の車輪５と、電源コード（図示省略）と、を有している。
【００１４】
図２及び図３に示すうように、掃除機本体２を構成するケース体は、カーボン樹脂によって形成されたカーボン樹脂製部品２Ａと、カーボン樹脂よりも弾性率が低く、かつ、引張破壊伸びが大きい樹脂によって形成され、カーボン樹脂製部品２Ａが取り付けられる非カーボン樹脂製部品２Ｂと、から主に構成されている。掃除機本体２の外殻は、下ケース２１と、上ケース２２と、排気カバー２３と、上ケースカバー２４と、集塵蓋２５と、ハンドル２６と、ハンドル連設部２７とによって主に覆われている。
【００１５】
＜カーボン樹脂製部品の構成＞
図３に示すように、カーボン樹脂製部品２Ａは、炭素繊維を含有するカーボン樹脂により形成された部品であり、非カーボン樹脂製部品２Ｂと比較して軽量で剛性を有している。このカーボン樹脂製部品２Ａは、例えば、短繊維からなる炭素繊維を含有する熱可塑性樹脂（例えば、ポリプロピレン、ＡＢＳ樹脂）で成形されている。カーボン樹脂製部品２Ａは、電気掃除機１において、例えば、車輪５、排気カバー２３、上ケースカバー２４、集塵蓋２５、ハンドル２６のハンドル下側半体２６Ａ、ハンドル連設部２７のハンドル連設部内材２７ｂ、及び、集塵部４の塵埃分離部４２等である。
【００１６】
この場合、カーボン樹脂製部品２Ａにおいて、この部品中に含まれる炭素繊維の含有率は、部品が使用される場所に合わせて適宜に変更してもよく、特に限定されない。また、カーボン樹脂製部品２Ａ中に含まれる炭素繊維の長さ、炭素繊維の材質、炭素繊維を含有させる樹脂等は、特に限定されない。
【００１７】
＜非カーボン樹脂製部品の構成＞
非カーボン樹脂製部品２Ｂは、カーボン樹脂製部品２Ａと比較して弾性率が低く、かつ、引張破壊伸びが大きい一般的な樹脂によって形成された部品である。非カーボン樹脂製部品２Ｂは、炭素繊維を含有しない一般的な樹脂材料からなる部品であり、例えば、ポリプロピレン、ＡＢＳ樹脂等から形成されている。非カーボン樹脂製部品２Ｂは、カーボン樹脂製部品２Ａが取り付けられる部材、あるいは、カーボン樹脂製部品２Ａが隣接する位置に設置される部材であり、例えば、下ケース２１、上ケース２２、ハンドル２６のハンドル上側半体２６Ｂ等である。
【００１８】
＜下ケースの構成＞
図４に示すように、下ケース２１は、掃除機本体２の下面部位、下部前後面部位、下部左右側面部位、及び、その内部を絶縁性を有する非カーボン樹脂（例えば、ポリプロピレン）で形成した非カーボン樹脂製部品２Ｂである。下ケース２１には、前端部に形成され、ホース接続部１１（図１参照）が着脱されるホース着脱部２１ａと、前側寄りの中央部に形成され、前輪５２（車輪５）を軸支するための前輪軸支部２１ｂ（図６参照）と、後側寄りの左右側壁に形成され、後輪５１（車輪５）が軸支される後輪軸支部２１ｃと、電動送風機３（図５参照）が内設される送風機設置部２１ｄと、送風機設置部２１ｄの前後に形成された後側側壁２１ｅ及び仕切壁２１ｆと、略底付円筒形状の多数の雌ねじ部等が一体形成されている。
【００１９】
図４に示すように、後側側壁２１ｅは、下ケース２１の後側側面を形成している側壁部位である。仕切壁２１ｆは、送風機設置部２１ｄと、集塵ユニット４１が配置される部位とを仕切るための隔壁であり、下ケース２１の中央部に垂直に立設した状態に形成されている。
【００２０】
＜上ケースの構成＞
前記図４に示すように、上ケース２２は、下ケース２１の上側に合致した状態で、前端部、中央部及び後端部をそれぞれのねじＮ１で締結されるケース体であり、例えば、ＡＢＳ樹脂等の一般的な樹脂によって形成されている。図３に示すように、上ケース２２は、それぞれ後記する下側周縁部２２ａと、車輪カバー部２２ｂと、集塵ユニット収納部２２ｃと、排気カバー設置部２２ｄと、上ケースカバー設置部２２ｅと、集塵蓋配置部２２ｆと、ハンドル設置部２２ｇと、排気口２２ｉと、凸部２２ｊと、雌ねじ部２２ｋと、表示部２２ｍと、ねじ挿入孔（図示省略）と、貫通孔２２ｏと、コード引出部２２ｐと、を有している。
【００２１】
図４に示すように、下側周縁部２２ａは、前記下ケース２１の上側周縁部２１ｇに合致する部位であり、上ケース２２の下側の略全周に亘って形成されている。
車輪カバー部２２ｂは、左右の後輪５１の上側半分を左右幅方向に略半分覆うように形成された部位であり、後輪５１を回転自在に覆って保護する保護部である。車輪カバー部２２ｂは、上ケース２２の左右の下側後部に円弧状に切欠形成されている。
【００２２】
図３に示すように、集塵ユニット収納部２２ｃは、集塵ユニット４１が配置される部位であり、略円柱形状の集塵ユニット４１の後側半分を斜めに収納して保持するように形成されている。
排気カバー設置部２２ｄは、排気カバー２３が複数のねじＮ２によって固定される部位であり、排気カバー２３が合致するように上ケース２２の後面に形成されている。
【００２３】
上ケースカバー設置部２２ｅは、上ケースカバー２４が取り付けられる部位であり、上ケース２２の上部後側の集塵ユニット４１の背面に形成されている。
集塵蓋配置部２２ｆは、集塵蓋２５が回動自在に配置される部位であり、上ケース２２の上面前側に形成されている。集塵蓋配置部２２ｆの後部には、集塵蓋２５の軸支部２５ａが回動自在に軸合する左右一対の軸合部２２ｈが形成されている。
【００２４】
図３に示すように、ハンドル設置部２２ｇは、ハンドル２６の左右の下端部が取り付けられる部位であり、上ケース２２の中央部の左右上部に形成されている。
排気口２２ｉは、電動送風機３（図５参照）によって吸引され、集塵部４で塵埃と分離されて浄化された風が排気される排気口２２ｉであり、上ケース２２の後面に形成された複数の開口からなる。
【００２５】
凸部２２ｊは、排気カバー２３の内面に形成された係止部（図示省略）が係止する部位であり、上ケース２２の後面下部に左右方向に向けて延設されている。
左右一対の雌ねじ部２２ｋは、排気カバー２３のねじ挿入孔２３ｄに挿入したねじＮ２が螺合されるねじ穴であり、排気カバー設置部２２ｄの左右に形成されている。
【００２６】
表示部２２ｍは、例えば、不図示のフィルタの目詰まり状況を段階的に照明表示するインジケータ、または、じゅうたんモード、床・畳みモード、強モードの三つの運転状態を照明表示するインジケータ等である。表示部２２ｍ内には、三つのＬＥＤ（図示省略）を並設した回路基板（図示省略）が内設されている。
【００２７】
貫通孔２２ｏは、上ケースカバー２４の下面に突設した係止片２４ｂが挿入して係止される孔であり、上ケースカバー設置部２２ｅの後端部側の左右に形成されている。
図３に示すように、コード引出部２２ｐは、不図示の電源プラグを有するコードが引き出し自在に配置される部位であり、この外側に、排気カバー２３のコード引出口２３ｅが合致するように配置されている。
【００２８】
図３及び図６に示す排気カバー２３は、排気口２２ｉを覆うようにして配置される略網状の部材であり、多数の排気孔２３ａが形成されたカーボン樹脂製部品２Ａである。図３に示すように、排気カバー２３には、排気孔２３ａ（図６参照）と、上ケース２２の凸部２２ｊに係止する係止部２３ｂと、回路基板６の爪６ａに係止する係止片２３ｃと、ねじＮ２が挿入されるねじ挿入孔２３ｄと、コード引出口２３ｅ（図３参照）と、が形成されている。排気カバー２３は、係止部２３ｂを凸部２２ｊに係止して、係止片２３ｃを爪６ａに係止し、ねじＮ２をねじ挿入孔２３ｄ（図２参照）を介して雌ねじ部２２ｋに螺合することで、非カーボン樹脂製部品２Ｂである上ケース２２に固定されている。
【００２９】
＜上ケースカバーの構成＞
図３に示すように、上ケースカバー２４は、カーボン樹脂製部品２Ａであり、この上ケースカバー２４の下側に配置された回路基板６の上面の一部を覆うように設置されている。このため、上ケースカバー２４は、回路基板６に帯電した静電気をカーボン（有機導電性繊維）によって大気中に放電することができるので、回路基板６に静電気が帯電するのを抑制することができる。上ケースカバー２４は、上ケース２２に形成された貫通孔２２ｏに挿入して係止される係止片（図示省略）と、不図示のねじ部材とによって上ケース２２の上面に固定されている。
【００３０】
図３に示すように、集塵蓋２５は、集塵ユニット４１の上部に係合するように配置される開閉蓋体であり、カーボン樹脂製部品２Ａからなる。前記したように、集塵蓋２５は、後端部の左右に略円筒形状の軸合部２２ｈに回動自在に軸支される軸支部２５ａと、集塵ユニット４１の上部前側に設けられた係合部４１ａに係合・離脱する係止部２５ｂと、を有している。
【００３１】
図７は、ハンドルの拡大分解斜視図である。図８は、ハンドルと上ケースとのねじ止め部位を示す一部断面を有する要部分解斜視図である。図９は、図８のＤ−Ｄ拡大断面図である。
【００３２】
≪ハンドルの構成≫
図７及び図８に示すように、ハンドル２６は、利用者が電気掃除機１を手で持って移動させる際に掴む部位であり、背面視してトンネル状に湾曲して形成されている。ハンドル２６は、上部上側に配置される非カーボン樹脂製部品２Ｂからなるハンドル上側半体２６Ｂと、ハンドル上側半体２６Ｂの下部内側に合致されるカーボン樹脂製部品２Ａからなるハンドル下側半体２６Ａと、が複数のねじＮ４でねじ止めされてなる。ハンドル２６は、カーボン樹脂よりも軟質で変形して応力を吸収し易いＡＢＳ樹脂あるいはポリプロピレン等からなるハンドル上側半体２６Ｂと、非カーボン樹脂よりも軽量で剛性を有し薄肉にすることが可能なハンドル下側半体２６Ａと、を組み合わせたことにより、ハンドル２６全体が軽量で剛性のあるものに形成されている。
【００３３】
＜ハンドル上側半体の構成＞
非カーボン樹脂製のハンドル上側半体２６Ｂは、中央部及び左右端部にそれぞれ形成され、ハンドル下側半体２６Ａのねじ挿入孔２６Ａａに挿入されたねじＮ４がねじ止められる雌ねじ部２６Ｂａと、左右端部に形成された切欠部２６Ｂｂと、左右下端部に突出形成された位置決め突起２６Ｂｃと、ハンドル上側半体２６Ｂの周縁部に折曲形成された折曲部２６Ｂｄと、を有している。このため、ハンドル上側半体２６Ｂは、３本のねじＮ４によりハンドル下側半体２６Ａに固定される。また、ハンドル上側半体２６Ｂは、切欠部２６Ｂｂを有することで、切欠部２６Ｂｂがある分だけに肉抜きすることができるため、その分だけ軽量化されている。また、前記切欠部２６Ｂｂは貫通孔で形成してもよい。二股状のハンドル上側半体２６Ｂの下端部には、ハンドル連設部内材２７ｂ（図３参照）の外周部に設けられ、上ケース２２に固定されたハンドル連設部外枠２７ａ（図３参照）が連続して配置されている。
【００３４】
雌ねじ部２６Ｂａは、ハンドル上側半体２６Ｂに一体形成された円筒状突起内に形成されている。
切欠部２６Ｂｂは、ハンドル上側半体２６Ｂの左右の下端部に二股状（略三角形）に形成された部位である。ハンドル２６は、ハンドル下側半体２６Ａがカーボン樹脂製で強度があるため、ハンドル下側半体２６Ａに合致するハンドル上側半体２６Ｂに、この切欠部２６Ｂｂを形成することを可能にしている。切欠部２６Ｂｂの下側には、上ケース２２に固定されたハンドル連設部内材２７ｂが連続して配置されている。
【００３５】
位置決め突起２６Ｂｃは、ハンドル連設部２７の上端部に形成された位置決め孔２７ｃ（図４参照）に挿入されて、ハンドル２６をハンドル連設部２７の所定位置に保持させるための突起である。
折曲部２６Ｂｄは、ハンドル上側半体２６Ｂをハンドル下側半体２６Ａの折曲部２６Ａｅの先端の係合部２６Ａｇに係合させたときに、ハンドル２６を断面視して筒状に形成するための部位である。
【００３６】
＜ハンドル下側半体の構成＞
図７〜図９に示すように、カーボン樹脂製のハンドル下側半体２６Ａの左右には、切欠部２６Ｂｂに合わせて形成された切欠孔２６Ａｂと、上ケース２２のハンドル固定孔２２ｑ（図８参照）に挿入されてねじＮ５が螺合される複数の雌ねじ部２６Ａｃと、折曲部２６Ａｅと、ハンドル２６の強度を向上させるための補強リブ２６Ａｆと、前記係合部２６Ａｇと、が形成されている。
【００３７】
ねじ挿入孔２６Ａａは、ハンドル上側半体２６Ｂの雌ねじ部２６Ｂａに対向するハンドル下側半体２６Ａの左右端部及び中央部に形成された孔であり、円筒状に形成されている。
切欠孔２６Ａｂは、ハンドル下側半体２６Ａとハンドル上側半体２６Ｂとを合致させた際に、切欠部２６Ｂｂの内側に配置される孔であり、ハンドル下側半体２６Ａの左右の下端部に形成されている。切欠孔２６Ａｂは、ハンドル下側半体２６Ａがカーボン樹脂製で強度があることによって、ハンドル下側半体２６Ａを肉抜き形状に形成することが可能になっている。
【００３８】
雌ねじ部２６Ａｃは、ハンドル下側半体２６Ａの左右下端部に有底円筒状に形成され、下方向に向けて突設されている。
【００３９】
折曲部２６Ａｅは、縦断面視して上方向に向けてＵ字状（湾曲状）に曲げて形成された部位であり、折曲部２６Ｂｄに合致して筒体を形成する。
補強リブ２６Ａｆは、ハンドル下側半体２６Ａ内に前後左右方向に向けて形成されて、ハンドル下側半体２６Ａの強度を向上させるための補強用板部材である。
係合部２６Ａｇは、ハンドル上側半体２６Ｂの外周縁に係合する部位であり、折曲部２６Ａｅの先端部に段差状に形成されている。
【００４０】
＜ハンドル連設部の構成＞
図３に示すように、ハンドル連設部２７は、上側にハンドル２６の基端部が連設されると共に、集塵部４の外周枠の一部を形成する部材であり、上ケース２２にねじ止めされている。ハンドル連設部２７は、このハンドル連設部２７の外側に設けられ、非カーボン樹脂製部品２Ｂからなるハンドル連設部外枠２７ａと、このハンドル連設部外枠２７ａの内側に設けられ、カーボン樹脂製部品２Ａからなるハンドル連設部内材２７ｂと、を備えて構成されている。ハンドル連設部２７は、ハンドル２６の二股状の切欠孔２６Ａｂに合わせて連設するように配置された非カーボン樹脂製のハンドル連設部外枠２７ａと、カーボン樹脂製のハンドル連設部内材２７ｂと、を組み合わせてなる。
【００４１】
ハンドル連設部外枠２７ａは、側面視して斜め後上方向に向けて略Ｖ字形状に形成された部材であり、例えば、ＡＢＳ樹脂によって形成されている。ハンドル連設部外枠２７ａは、カーボン樹脂よりも軟質なＡＢＳ樹脂等の非カーボン樹脂製部品２Ｂであるため、ハンドル連設部内材２７ｂにかかった応力を緩和させて、ハンドル連設部内材２７ｂに亀裂ができるのを解消する機能を果たす。
【００４２】
ハンドル連設部内材２７ｂは、略Ｖ字形状のハンドル連設部外枠２７ａの内側に設けられたカーボン樹脂製の部材であり、ハンドル連設部２７全体の強度を向上させて薄肉化及び軽量化を図ることができるという機能を果たす。
【００４３】
≪電気掃除機の作用≫
次に、図２及び図３を主に各図を参照しながら本発明の実施形態に係る電気掃除機１の作用を説明する。
例えば、図２及び図３に示すように、電気掃除機１を移動させる場合、利用者は、ハンドル２６及び不図示の操作管を手で持って移動させる。この移動の最中にハンドル２６には、掃除機本体２全体の荷重や、他の異物と接触するなどして衝撃力等がかかる。その荷重等は、ハンドル２６のハンドル上側半体２６Ｂ及びハンドル下側半体２６Ａにかかる。
【００４４】
ハンドル上側半体２６Ｂは、カーボン樹脂よりも軟質な非カーボン樹脂製部品２Ｂからなるので、荷重によって僅かに変形することにより、衝撃を吸収することができる。このため、ハンドル上側半体２６Ｂは、比較的衝撃に対して弱いハンドル下側半体２６Ａに亀裂が発生するのを抑制することができる。
【００４５】
ハンドル下側半体２６Ａは、カーボン樹脂から形成されていることにより、ハンドル２６に帯電する静電気を大気中に放電することができるため、利用者がハンドル２６を掴んだ際に、ハンドル２６から利用者に静電気が流れるのを防止することができる。
【００４６】
また、電気掃除機１で子供が遊ぶなどして掃除機本体２に馬乗りし、電気掃除機１の上部にあるハンドル２６、ハンドル連設部２７、集塵蓋２５、上ケースカバー２４及び排気カバー２３に荷重がかかった場合、それらのカーボン樹脂製部品２Ａは、いずれもカーボン樹脂製で強度があると共に、隣接する部材及び取り付けられている部材が、非カーボン樹脂製部品２Ｂであるため、前記同様に、非カーボン樹脂製部品２Ｂによって荷重を吸収してカーボン樹脂製部品２Ａに亀裂ができるのを抑制することができる。
【００４７】
つまり、ハンドル２６、ハンドル連設部２７、集塵蓋２５、上ケースカバー２４及び排気カバー２３は、いずれもＡＢＳ樹脂等の非カーボン樹脂製の上ケース２２にねじ止め、あるいは、係止されているので、上ケース２２によって荷重を緩和することができる。
また、ハンドル２６は、前記したように、カーボン樹脂製のハンドル下側半体２６Ａと、非カーボン樹脂製のハンドル上側半体２６Ｂとを組み合わせてなるので、一方の部材で荷重を緩和し、他方の部材で全体の強度を向上させることができる。前記したようにハンドル連設部２７も、カーボン樹脂製部品２Ａであるハンドル連設部外枠２７ａと、非カーボン樹脂製部品２Ｂであるハンドル連設部内材２７ｂとからなるため、ハンドル２６と同様な作用効果を奏する。
【００４８】
ハンドル２６の左右下端部には、側面視して略Ｖ字形状の非カーボン樹脂製のハンドル連設部外枠２７ａと、このハンドル連設部外枠２７ａの内側に設けられたカーボン樹脂製のハンドル連設部内材２７ｂと、を組み合わせたハンドル連設部２７が連設されている。
このため、ハンドル連設部２７は、ハンドル２６と上ケース２２とが接続される部位の外側を、軟質な非カーボン樹脂のハンドル連設部外枠２７ａで応力を緩和させて亀裂ができるのを抑制させながら、カーボン樹脂製のハンドル連設部内材２７ｂでハンドル連設部２７全体の強度を向上させることができると共に、ハンドル２６を薄肉にして軽量化を図ることができる。
【００４９】
また、ハンドル２６が取り付けられる上ケース２２をカーボン樹脂よりも弾性率が低く、かつ、引張破壊伸びが大きい非カーボン樹脂製にしたことにより、カーボン樹脂製のハンドル２６にかかった荷重、振動、応力を弾性変形することで吸収することができるため、高剛性にすることができる。
【００５０】
このように、図２及び図３に示す電気掃除機１において、前記したハンドル２６、ハンドル連設部２７、塵埃分離部４２、集塵蓋２５、上ケースカバー２４、排気カバー２３及び車輪５は、いずれも強度があるカーボン樹脂製部品２Ａであって、非カーボン樹脂製部品２Ｂである上ケース２２、下ケース２１等に取り付けられているので、非カーボン樹脂製部品２Ｂで応力を緩和することができるため、薄肉化した分だけ軽量化することができる。
その結果、掃除機本体２全体を軽量して、高剛性を有する電気掃除機１にすることができる。
【００５１】
≪変形例≫
なお、本発明は、前記実施形態に限定されるものではなく、その技術的思想の範囲内で種々の改造及び変更が可能であり、本発明はこれら改造及び変更された発明にも及ぶことは勿論である。
【００５２】
前記実施形態では、カーボン樹脂製部品２Ａと非カーボン樹脂製部品２Ｂとをねじ部材で固定した場合を説明したが、ねじ部材以外の締結部材、超音波溶着、接着剤等によるその他の固着手法によって互いに固定してもよい。
【符号の説明】
【００５３】
１      電気掃除機
２      掃除機本体
２Ａ    カーボン樹脂製部品
２Ｂ    非カーボン樹脂製部品
２１    下ケース
２２    上ケース
２６    ハンドル
２６Ａ  ハンドル下側半体
２６Ａｂ  切欠孔
２６Ｂ  ハンドル上側半体
２６Ｂｂ  切欠部
２７ａ    ハンドル連設部外枠
２７ｂ    ハンドル連設部内材
【図１】
0005865165.tif 000002
【図２】
0005865165.tif 000003
【図３】
0005865165.tif 000004
【図４】
0005865165.tif 000005
【図５】
0005865165.tif 000006
【図６】
0005865165.tif 000007
【図７】
0005865165.tif 000008
【図８】
0005865165.tif 000009
【図９】
0005865165.tif 000010